(57)【要約】      （修正有）【課題】良好な接続ができる壁パネルを提供する。【解決手段】前面、前面と背中合わせに位置する後面２０、前面の一端部の上縁部３０、前面の他端部の下縁部４０、前面の一縁部の多孔質左縁部５０、および前面の他縁部の多孔質右縁部６０を含む壁パネルであって、多孔質左縁部５０または多孔質右縁部６０が多孔質左縁部５０または多孔質右縁部６０に沿ってそれぞれ延びるキャビティまたはキャビティを有する壁パネルとする。【選択図】図１
2016094814.tif 000002
【特許請求の範囲】
【請求項１】
壁パネルであって、
・前面（１０）
・前面（１０）に背中合わせの後面（２０）、
・前面（１０）の一端部の上縁部（３０）、
・前面（１０）の他端部の下縁部（４０）、
・前面（１０）の一縁部の多孔質左縁部（５０）、および、
・前面（１０）の他縁部の多孔質右縁部（６０）、を含み（ｃｏｖｅｒ）、
前記多孔質左縁部（５０）または多孔質右縁部（６０）は、前記多孔質左縁部（５０）または多孔質右縁部（６０）に沿ってそれぞれ延びるキャビティ（５５）またはキャビティ（６５）をそれぞれ有することを特徴とする、壁パネル。
【請求項２】
請求項１に記載の壁パネルにおいて、前記パネルは、鉄筋コンクリートでできている。
【請求項３】
請求項１に記載の壁パネルにおいて、前記キャビティ（５５）は、
【化１】
2016094814.tif 000007
形状またはハーフＩ字バーまたはハーフＨ字バーの断面を有する。
【請求項４】
請求項１に記載の壁パネルにおいて、前記パネルは、
【化２】
2016094814.tif 000008
形状またはハーフＩ字バーまたはハーフＨ字バーの断面を有するキャビティ（６５）を有する。
【請求項５】
請求項１に記載の壁パネルにおいて、多孔質左縁部（５０）の前記キャビティ（５５）が多孔質右縁部（６０）のキャビティ（６５）につながる場合、これらの２つの隣接するキャビティ（５５、６５）のプロフィールは、Ｉ字バーまたはＨ字バーのように見える。
【請求項６】
請求項１に記載の壁パネルにおいて、前記キャビティ（５５）またはキャビティ（６５）は、まっすぐな断面形状を有する。
【請求項７】
請求項１に記載の壁パネルにおいて、前記キャビティ（５５）またはキャビティ（６５）は、Ｑ字状の（Ｑ−ｓｈａｐｅｄ）断面を有する。
【請求項８】
請求項１に記載の壁パネルにおいて、前記前面（１０）は、前面（１０）の中央に位置する凹所（１２）を有する。
【請求項９】
請求項１に記載の壁パネルにおいて、前記前面（１０）は、少なくとも１つのフックポイント（１４）を有する。
【請求項１０】
請求項１に記載の壁パネルにおいて、前記後面（２０）は、少なくとも１つのフックポイント（２４）を有する。
【請求項１１】
請求項１に記載の壁パネルにおいて、前記上縁部（３０）は、少なくとも１つの接続ポイント（３２）によって付随される。
【請求項１２】
請求項１に記載の壁パネルにおいて、前記上縁部（３０）は、少なくとも１つの釘穴（３５）によって付随される。
【請求項１３】
請求項１に記載の壁パネルにおいて、前記上縁部（３０）は、少なくとも１つのシール溝（３６）を有する。
【請求項１４】
請求項１に記載の壁パネルにおいて、前記下縁部（４０）は、少なくとも１つの釘穴（４５）を有する。
【請求項１５】
請求項１に記載の壁パネルにおいて、前記下縁部（４０）は、少なくとも１つのシール溝（４６）を有する。
【発明の詳細な説明】
【技術分野】
【０００１】
本発明は、改良された、もう一方に対する１つの壁パネルの接続に関する。
【背景技術】
【０００２】
パネル、特に鉄筋コンクリートパネルは、通常、例えばフェンス、スライド擁壁、水擁壁および／または泥擁壁などの、擁壁または仕切り壁として用いられる。
【０００３】
従来のパネルは、通常、１枚のパネルをもう一方に接続するかまたは結ぶ機能を有する特別な構成要素を備えていない。例えば、仕切り壁または擁壁を形成するために複数のパネルを横に並べて据え付けようとするときに、これらのパネルの接続が弱くて容易に分離するので、これは、不便を生じさせる。
【０００４】
他の従来のパネルは、１枚のパネルをもう一方に接続して、結ぶために、パーツを用いて取り付けられる。しかしながら、このコネクタは、通常、接続されるかまたは結ばれるパーツにおいてオーバーラップされる。この種類の接続または結束は、強力な接続を提供することができない。加えて、次にパネルが互いに分離することは、容易に破損するかまたはひびが入る。
【０００５】
従来のパネルの弱点を処理するために、特別な接続または結束ポイントを有するパネルは、発明された。この設計は、パネルのより良好な接続を提供することができる。
【発明の概要】
【発明が解決しようとする課題】
【０００６】
本発明の目的は、据え付けるときに、次のパネルへのその接続が強力で、容易に分離または切り離されない壁パネルを提供することである。
【課題を解決するための手段】
【０００７】
本発明の壁パネルは、前面（１０）、背中合わせの構成の後面（２０）、前面（１０）の一端部の上縁部（３０）、前面（１０）の他端部の下縁部（４０）、前面（１０）の一縁部の多孔質左縁部（５０）、および前面（１０）の他のリムの１つの多孔質右縁部（６０）を含む。本発明の壁パネルは、鉄筋コンクリートでできていることが可能である。
【０００８】
本発明の１つの利点は、その多孔質左縁部（５０）または多孔質右縁部（６０）が多孔質左縁部（５０）または多孔質右縁部（６０）に沿って延びるそれら自身のキャビティ（５５）またはキャビティ（６５）を有することである。これらのキャビティは、
【化１】
2016094814.tif 000003
形状の断面またはハーフＩ字バー形状またはハーフＨ字バー形状を有する。多孔質左縁部（５０）のキャビティ（５５）が次の多孔質右縁部（６０）のキャビティ（６５）につながる場合、これらの２つのキャビティ（５５、６５）のプロフィールは、Ｉ字バーまたはＨ字バー形状を形成する。
【０００９】
本発明の壁パネルの前面（１０）は、前面（１０）の中間部に凹所（１２）を備えることができる。この前面（１０）は、少なくとも１つのフックポイント（１４）を含むこともできる。
【００１０】
本発明の壁パネルの後面（２０）は、少なくとも１つのフックポイント（２４）を有することができる。
【００１１】
本発明の壁パネルの上縁部（３０）は、少なくとも１つの接続ポイント（３２）を有してもよい。この上縁部（３０）は、少なくとも１つの釘穴（３５）、少なくとも１つのシール溝（３６）および少なくとも１つの釘穴（４５）によって完成されることもできる。
【００１２】
本発明のこの壁パネルの下縁部（４０）は、少なくとも１つのシール溝（４６）を備えることができる。
【図面の簡単な説明】
【００１３】
【図１】図１は、本発明の壁パネルの斜視図である。
【図２】図２は、本発明の壁パネルの正面図である。
【図３】図３は、本発明の壁パネルの上面図である。
【図４】図４は、本発明の壁パネルの下面図である。
【図５】図５は、異なる角度形状を有する金属補強を示す本発明の壁パネルの斜視図である。
【発明を実施するための形態】
【００１４】
本発明の壁パネルは、この特許出願の明細書に添付される添付図面に関して詳細に述べられる。この特許出願の明細書における図面は、本発明を明らかにする際に支援することを、そして本発明の範囲を制限しないことを意図するだけである。
【００１５】
本発明の壁パネルは、図１に示すように、前面（１０）、後面（２０）、上縁部（３０）、下縁部（４０）、多孔質左縁部（５０）、および多孔質右縁部（６０）をカバーすることができる。本発明における上、下、左、右、前、後の基準は、それぞれの数字によって裏付けられた。
【００１６】
図１および図５に関して、本発明の壁パネルは、鉄筋コンクリート材、金属材料、プラスチック材、プラスチックと樹脂の合成物、金属とプラスチックの組合せ、複合材料、などでできていることが可能である。
【００１７】
より好ましくは、本発明の壁パネルは、鉄筋コンクリートでできている。本発明において鉄筋コンクリートとは、コンクリートと鉄または補強筋の組合せを意味する。より詳しくは、この種の鉄筋コンクリートの定義は、ＳＮＩ  ０３−２８４７−２００２、すなわち、プレテンションの有無にかかわらず必要な最小限の値以上の補強領域およびバーによって補強されて、そして、これら２つの材料が支持力を発生させるために協力することができるという仮定を条件として計画されるコンクリートを参照することができる。一方、本発明のコンクリートの定義は、ＳＮＩ  ０３−２８４７−２００２、すなわち、固体の質量を形成する添加物の有無にかかわらず、ポルトランドセメントおよび水硬セメント、細骨材、粗骨材および水の混合を参照することができる。
【００１８】
本発明の壁パネルは、長さ方向に長方形、立方形および他の定形の断面を有することができる。
【００１９】
本発明では、本発明のパネルの上から下への方向は、図１に矢印Ａによって示す方向による。一方、左から右への方向は、図１の矢印Ｂによって示される。
【００２０】
図１、図２および図５に基づいて、本発明の壁パネルの前面（１０）は、平坦な形状、不均等な形状、穴のあいた形状、または溝付きの形状を有することができる。より好ましくは、前面（１０）は、凹所（１２）によって付随される。この凹所（１２）は、壁パネルによって保持される材料（例えば土壌）を受容するためである。凹所（１２）が材料を保持するので、本発明の壁パネルは、その丈夫さまたは直立力を高めることができる。加えて、凹所（１２）は、コンクリート材を省くことができて、その生産コストを減らすことができる。凹所（１２）は、いかなる断面形状を、そしてより好ましくは、壁パネルの断面に適応する断面形状を有してもよい。例えば、壁パネルが正方形断面を有する場合、凹所（１２）は、同じ断面（すなわち正方形）を有してもよい。凹所（１２）の寸法は、壁パネルの寸法に適応されることができる。壁パネルのより大きい寸法は、凹所（１２）のより大きい寸法になる。
【００２１】
本発明のこの前面パネルの前面（１０）は、少なくとも１つのフックポイント（１４）によって支持されることができる。より好ましくは、これらのフックポイント（１４）は、偶数（すなわち２、４）を有する。より好ましくは、これらのフックポイント（１４）は、壁パネルがこれらのフックポイント（１４）から適切に持ち上げられることができるような仕方で配置される別々の場所の２点から成る。比較的巨大な重量のために、本発明のこの壁パネル（１４）を持ち上げることは、必要である。フックポイント（１４）は、前面（１０）に接続している鉄または鋼の棒から成ってもよい。これらのフックポイント（１４）は、壁パネルの補強筋に接続していることができる。
【００２２】
本発明の壁パネルの後面（２０）は、前面（１０）と背中合わせの位置にある。本発明のこの壁パネルの後面（２０）は、不均等な形状、凹所のある形状、または溝付きの形状を有してもよい。より好ましくは、この後面（２０）は、均等な形状を有する。それは、壁パネルが使用されるときに、この後部形状（２０）が露出するかまたは見える表面であるという理由である。
【００２３】
後面（２０）は、少なくとも１つのフックポイント（２４）によって付随されることもできる。より好ましくは、これらのフックポイント（２４）は、２、４のような偶数を有する。より好ましくは、これらのフックポイント（２４）は、それらがこれらのフックポイント（２４）から持ち上げられることができるように別に２つの位置を有する。フックポイント（２４）は、フックを受容するためであるか、または吊り具（例えばロープまたはフック）に取り付けられる。壁パネルが比較的巨大な重量を有するので、それらは必要である。フックポイント（２４）は、後面（２０）に結ばれる鉄または鋼の棒でできていることが可能である。それらは、壁パネルの補強筋と接続されることもできる。
【００２４】
本発明のこの壁パネルの上縁部（３０）は、前面（１０）の端部のうちの１つに沿って載置されることができる。それは、上方向の、または図１の矢印の逆方向において（３０）に面する表面の一部である。いくつかの壁パネルが垂直に積み重ねられるときに、上縁部（３０）は、上に接触する壁パネルと分かれてもよい。垂直積み重ねにおいて、壁パネルの１つの上縁部（３０）は、上の壁パネルの下縁部（４０）に接触する。
【００２５】
上縁部（３０）の長さは、本発明の壁パネルの長さである。一方、上縁部（３０）の幅は、本発明の壁パネルの厚みである。したがって、本発明の壁パネルの長さは、上縁部（３０）の長さに等しい。そして、本発明の壁パネルの厚みは、上縁部（３０）の幅に等しい。
【００２６】
上縁部（３０）は、均等な、溝付きの形状、または特定のプロフィールを有してもよい。上縁部（３０）のプロフィールは、下縁部（４０）のプロフィールと同じでなければならない。したがって、２つの壁パネルが垂直位置に配置されるかまたは置かれるときに、これらの壁パネルの２つの表面は、互いにカバーする。より好ましくは、上縁部（３０）は、平らな表面を有する。
【００２７】
本発明の壁パネルの上縁部（３０）は、少なくとも１つの接続ポイント（３２）によって付随されてもよい。より好ましくは、この接続ポイント（３２）は、偶数（すなわち２または４）を有する。より好ましくは、この接続ポイント（３２）は、壁パネルがこれらの接続ポイント（３２）から持ち上げられることができるように別に配置される２つのユニットから成る。それらは、接続を受容するために、または吊り具（例えばロープまたはフック）を結ぶために意図される（３２）。壁パネルを持ち上げることは、その比較的巨大な重量からみて必要である。接続ポイント（３２）は、上縁部（３０）に取り付けられた鉄または鋼の棒でできていてもよい。接続ポイント（３２）は、壁パネルの補強筋に接続していることができる。より好ましくは、この上縁部（３０）が上のまたは下の壁パネルを受容するかまたはそれと接触する以後でさえ上縁部（３０）の表面を維持するために、接続ポイント（３２）は、上縁部（３０）にやや深めに配置される。
【００２８】
加えて、上縁部（３０）は、少なくとも１つの釘穴（３５）によって取り付けられることができる。より好ましくは、この釘穴（３５）は、別に配置された２つから成る。釘穴（３５）は、円形の、正方形の、立方形の断面形状またはその他を有してもよい。この釘穴（３５）は、釘（８０）を受容するためである。釘（８０）は、金属（例えば、鉄、鋼など）でできていてもよい。釘（８０）の断面形状は、釘穴（３５）の断面形状に適応しなければならない。そして、寸法は、釘（８０）を受容することができる仕方で、または、より好ましくは、釘が釘穴（３５）に適切に入る仕方で作られなければならない。
【００２９】
図４に関して、本発明の壁パネルの下縁部（４０）は、前面（１０）の一端部に沿って、すなわち上縁部（３０）が静止するその端部の対向する端部に位置してもよい。この下縁部（４０）は、下方の、または図１の矢印方向に向かって面する表面の一部でもある。この下縁部（４０）は、いくつかの壁パネルが垂直に積み重ねられるときに、それより上の壁パネルと接触する部分である。この垂直積み重ねにおいて、壁パネルの下縁部（４０）のうちの１つは、下の壁パネルの上縁部（３０）に接触する。
【００３０】
下縁部（４０）の長さは、本発明の壁パネルの幅である。そして、上縁部（３０）の幅は、本発明の壁パネルの厚みになる。そしてそれは、上縁部（３０）の幅と同じである。したがって、本発明の壁パネルの幅は、下縁部（４０）の長さと同じである。
【００３１】
下縁部（４０）は、均等な、溝付きの形状、または特定のプロフィールを有してもよい。これらの２つの壁パネルが積み重ねられるかまたは垂直に配置されるときに、２つの表面が互いにカバーするように、下縁部（４０）の１つのプロフィールは、上縁部（３０）のプロフィールと同じでなければならない。より好ましくは、下縁部（４０）は、図４に示すように平らな表面を有する。
【００３２】
本発明の壁パネルの下縁部（４０）は、少なくとも１つの接続ポイント（４２）によって付随されることができる。より好ましくは、この接続ポイント（４２）は、偶数（例えば２または４）である。より好ましくは、それは、別に配置される２つの接続ポイント（４２）から成る。この接続ポイント（４２）は、吊り具（例えばロープまたはフック）を接続するかまたは受容するためである。壁パネルを持ち上げることは、その比較的巨大な重量からみて必要である。接続ポイント（４２）は、下縁部（４０）に取り付けられた鉄または鋼の棒でできていてもよい。接続ポイント（４２）は、壁パネルの補強筋に接続していることができる。より好ましくは、この下縁部（３０）が上のまたは下の壁パネルを受容するかまたはそれと接触する以後でさえ下縁部（４０）の表面を維持するために、接続ポイント（４２）は、下縁部（４０）にやや深めに配置される。
【００３３】
加えて、下縁部（４０）は、少なくとも１つの釘穴（４５）によって取り付けられることができる。より好ましくは、この釘穴（４５）は、別に配置された２つから成る。釘穴（４５）は、釘穴（３５）の断面形状と同じ断面形状を有しなければならない。垂直に配置される２つの壁パネルの保持力および結束力を創造するために、１つの釘穴（８０）が釘穴（３５）に部分的に入ることができるように、そして他の一部が釘穴（４５）に侵入することができるように、釘穴（４５）は、１つの釘穴（３５）の位置に適切に配置されなければならない。
【００３４】
したがって、釘穴（３５）および釘（８０）が入る釘穴（４５）は、垂直に配置される２つの壁パネルの保持または結束機能を提供する。
【００３５】
本発明の壁パネルの上縁部（３０）は、上縁部面（３０）に沿って長手方向に延びる少なくとも１つのシール溝（３６）によって付随されることもできる。シール溝（３６）は、シール（３８）を受容するためである。したがって、シール（３８）がシール溝（３６）に適切に受容され得ることを確実にするために、シール溝（３８）の断面は、シール（３８）と適応されなければならない。シール溝（３６）の断面は、三角形の、正方形の、放物線の、卵形の形状または他を有してもよい。より好ましくは、このシール溝（３６）は、三角形の、正方形のまたは半円形の断面形状を有する。シール溝（３６）およびシール（３８）は、垂直に取り付けられる２つの壁パネルの間から液体が外へ流出するかまたはその間に浸透するのを防止することを意図する。このシール（３８）によって、液体は、２つの垂直の壁パネルから外へ流出しなくて、またはそれに浸透しない。１つのシール溝（３６）が液体のブロックにおいて最大でない場合、シール（３８）が装備される２つ以上のシール溝（３６）は、上縁部（３０）のために提供されることができる。
【００３６】
したがって、上縁部（３０）のために指し示されるように、下縁部（４０）は、シール（３８）を受容するためにシール溝（３６）によって付随されることができる。それを考慮して、上縁部（３０）および／または下縁部（４０）は、シール（３８）を受容するために少なくとも１つのシール溝（３６）を備えることができる。
【００３７】
本発明の１つの利点は、その多孔質左縁部（５０）および／または多孔質右縁部（６０）である。本発明の２つの壁パネルが平行な位置に、または水平方向に向けて配置されるときに、多孔質左縁部（５０）および多孔質右縁部（６０）は、互いに結ばれる。その次のパネルに対する１つの壁パネルの接続または結束を最大にするために、結束媒介物は、この種の結束媒介物のプロフィールが多孔質左縁部（５０）および多孔質右縁部（６０）の複合プロフィールと同じでなければならない所で必要である。
【００３８】
図３に関して、本発明の壁パネルの多孔質左縁部（５０）は、前面（１０）の一縁部に沿って配置されてもよい。多孔質左縁部（５０）は、多孔質左縁部（５０）に沿って設けられるキャビティ（５５）を有してもよい。その外観の１つにおいて、このキャビティ（５５）は、ハーフＩ字バーまたはハーフＨ字バー（ｈａｌｆ  Ｉ−ｂａｒ  ｏｒ  ｈａｌｆ  Ｈ−ｂａｒ）の断面を有してもよい。加えて、キャビティ（５５）は、Ｑ割当（Ｑ−ｓｈａｒｅ）または二等辺三角形を形成するまっすぐな断面を有することができる。
【００３９】
図３を参照すると、本発明の壁パネルの多孔質右縁部（６０）は、前面（１０）の一縁部、すなわち、多孔性の左縁部（５０）が位置しない縁部に沿って配置されてよい。多孔質右縁部（６０）は、多孔質右縁部（６０）に沿ったキャビティ（６５）を有してもよい。その外観の１つにおいて、このキャビティ（６５）は、
【化２】
2016094814.tif 000004
またはハーフＩ字バーまたはハーフＨ字バーの断面を有してもよい。加えて、キャビティ（６５）は、Ｑ割当または対称的に切り離される３つのスタート形状または二等辺三角形を形成するまっすぐな断面を有してもよい。１つの壁パネルにおいて、キャビティ（６５）の断面は、キャビティ（５５）の断面と同じかまたは異なってもよい。より好ましくは、キャビティ（６５）の断面は、キャビティ（５５）の断面と同じ形状を有する。例えば、キャビティ（５５）が
【化３】
2016094814.tif 000005
またはハーフＩ字バーまたはハーフＨ字バーの断面を有する場合、キャビティ（６５）は、
【化４】
2016094814.tif 000006
またはハーフＩ字バーまたはハーフＨ字バーの断面を有しなければならない。
【００４０】
本発明の壁パネルの角度は、（図１および図２に示すように）角度がＬ字形状を有するように、鈍角、例えば曲がった角度、（図５に示すような）カット、から成ってもよい。
【００４１】
美的目的のために、前面（１０）、後面（２０）、上縁部（３０）、下縁部（４０）、多孔質左縁部（５０）および多孔質右縁部（６０）は、石膏アプリケーション（ｐｌａｓｔｅｒ  ａｐｐｌｉｃａｔｉｏｎ）を有する滑らかな表面を有してもよい。
【００４２】
本発明の壁パネルは、生産サイトにおいてなされることができて、その後、壁パネルが取り付けられる場所に持ってこられることができる。
【００４３】
本発明の壁パネルは、壁、土壌および／または水の擁壁、周辺部フェンス、その他のようなさまざまな目的のために使用されることができる。
【図１】
2016094814.tif 000009
【図２】
2016094814.tif 000010
【図３】
2016094814.tif 000011
【図４】
2016094814.tif 000012
【図５】
2016094814.tif 000013